【事件の表示】
　特許第２９５１４３６号「弾球遊技機」の請求項１ないし３に係る特許に対する特許異議の申立てについて、次のとおり決定する。
【結　論】
　訂正を認める。
　特許第２９５１４３６号の請求項１ないし３に係る特許を維持する。
【理　由】
（１）手続の経緯
　本件特許第２９５１４３６号の請求項１ないし３に係る発明は、平成３年５月９日に特許出願され、平成１１年７月９日にその設定登録がなされ、その後、河井清悦、林稔久より特許異議の申立てがなされ、平成１２年６月１３日付けで取消理由通知がなされ、その指定期間内である平成１２年８月２２日に訂正請求がなされたものである。
（２）訂正の適否についての判断
１．訂正の内容
訂正事項ａ
　特許請求の範囲の請求項１の記載を、
「【請求項１】遊技盤の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置を遊技者にとって有利な状態に変換するようにした弾球遊技機において、
　複数の識別情報を可変表示して、該可変表示が停止した際に予め定められた特別表示態様を表示可能な可変表示装置と、特定入賞領域へ流入した遊技球を検出して、前記可変表示装置の可変表示に関わる制御信号を発生可能な検出手段と、遊技球の入賞に基づき前記特別権利状態を発生可能な特別入賞口と該特別入賞口以外の一般入賞口とを有し、前記特定入賞領域へ流入した遊技球を、前記特別入賞口あるいは一般入賞口のうちの何れかに振り分けて入賞させることが可能な振分装置と、
　を備え、
　前記振分装置は、
前記可変表示装置での可変表示において前記特別表示態様が表示されたことに基づき、前記特別入賞口へ誘導して入賞させるとともに、該特別入賞口へ入賞する流下する遊技球の特別入賞口への誘導状態を、また、図柄の組み合わせがはずれのときは、流下する遊技球の一般入賞口への誘導状態を、遊技中の遊技者が前方から視認可能な窓部を有することを特徴とする弾球遊技機。」と訂正する。
訂正事項ｂ
　特許請求の範囲の請求項２の記載を、
「【請求項２】前記可変表示装置を前記遊技領域の略中央部に配置するとともに、該可変表示装置の前方から向かって右側の遊技領域に前記始動入賞口を配置し、
　前記可変表示装置を、前記振分装置の凹室に配置して、前記振分装置と−体的に構成したことを特徴とする請求項１に記載の弾球遊技機。」と訂正する。
訂正事項ｃ
　特許請求の範囲の請求項３の記載を、
「【請求項３】前記可変表示装置と前記振分装置を一体的に構成し、
　前記特定入賞領域に流入した遊技球が凹室の後部から落下し、流下する遊技球の誘導状態を、遊技中の遊技者が前記窓部から視認可能であることを特徴とする請求項１または２に記載の弾球遊技機。」と訂正する。
訂正事項ｄ
　特許明細書の段落【００１０】を、
「【課題を解決するための手段】この発明は、前記課題を解決するため、
　遊技盤（１）の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置（６）を遊技者にとって有利な状態に変換するようにした弾球遊技機（例えば、パチンコ機）において、
　複数の識別情報を可変表示して、該可変表示が停止した際に予め定められた特別表示態様を表示可能な可変表示装置（６５）と、
　特定入賞領域（例えば、特定入賞口５）へ流入した遊技球を検出して、前記可変表示装置の可変表示に関わる制御信号を発生可能な検出手段（例えば、特定スイッチ４４）と、　遊技球の入賞に基づき前記特別権利状態を発生可能な特別入賞口（５１）と該特別入賞口以外の一般入賞口（例えば、開口部５７）とを有し、前記特定入賞領域へ流入した遊技球を、前記特別入賞口あるいは一般入賞口のうちの何れかに振り分けて入賞させることが可能な振分装置（例えば、特別入賞装置４）と、
　を備え、
　前記振分装置は、前記特定入賞領域へ流入した遊技球を前記特別入賞口又は前記一般入賞口へ流下させ、前記可変表示装置での可変表示において前記特別表示態様が表示されたことに基づき、前記特別入賞口へ誘導して入賞させるとともに、該特別入賞口へ入賞する流下する遊技球の特別入賞口への誘導状態を、また、図柄の組み合わせがはずれのときは、流下する遊技球の−般入賞口への誘導状態を、遊技中の遊技者が前方から視認可能な窓部（２６）を有する。
　また、前記可変表示装置を前記遊技領域の略中央部に配置するとともに、該可変表示装置の前方から向かって右側の遊技領域に前記始動入賞口を配置し、前記可変表示装置を、前記振分装置の凹室に配置して、前記振分装置と一体的に構成した。
　また、前記可変表示装置と前記振分装置を一体的に構成し、前記特定入賞領域に流入した遊技球が凹室の後部から落下し、流下する遊技球の誘導状態を、遊技中の遊技者が前記窓部から視認可能に構成した。」と訂正する。
訂正事項ｅ
　特許明細書の段落【０１４２】を
「【発明の効果】以上のように本発明は、遊技盤の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置を遊技者にとって有利な状態に変換するようにした弾球遊技機において、複数の識別情報を可変表示して、該可変表示が停止した際に予め定められた特別表示態様を表示可能な可変表示装置と、特定入賞領域へ流入した遊技球を検出して、前記可変表示装置の可変表示に関わる制御信号を発生可能な検出手段と、遊技球の入賞に基づき前記特別権利状態を発生可能な特別入賞口と該特別入賞口以外の一般入賞口とを有し、前記特定入賞領域へ流入した遊技球を、前記特別入賞口あるいは一般入賞口のうちの何れかに振り分けて入賞させることが可能な振分装置と、を備え、前記振分装置は、前記特定入賞領域へ流入した遊技球を前記特別入賞口又は前記一般入賞口へ流下させ、前記可変表示装置での可変表示において前記特別表示態様が表示されたことに基づき、前記特別入賞口へ誘導して入賞させるとともに、該特別入賞口へ入賞する流下する遊技球の特別入賞口への誘導状態を、また、図柄の組み合わせがはずれのときは、流下する遊技球の一般入賞口への誘導状態を、遊技中の遊技者が前方から視認可能な窓部を有することにより、特別権利状態の発生率が可変表示装置における特別表示態様の発生率により目的とする値に正確かつ容易に設定されるようになる。また、可変表示装置での可変表示による遊技と、振分装置による遊技球の振り分け遊技とにより、特別権利状態の発生までに、複数段階の遊技ステップを楽しめる。また、特別入賞口へ入賞する遊技球の誘導状態を、遊技中の遊技者は前方から窓部を透して視認することができ、期待感や興趣が向上し、特別入賞口へ入賞したかどうかの確認もできる。
　また、前記可変表示装置を前記遊技領域の略中央部に配置するとともに、該可変表示装置の前方から向かって右側の遊技領域に前記始動入賞口を配置し、前記可変表示装置を、前記振分装置の凹室に配置して、前記振分装置と一体的に構成することにより、特別権利状態の発生までは遊技領域の中央部を狙って遊技を行い、特別権利状態が発生した場合には遊技領域の右側を狙って遊技を行うような、変化に富んだ遊技内容となるとともに、ある程度の技術介入が必要な興趣の高い遊技となる。さらに、遊技者は視点を変えずに遊技が行えるとともに、遊技領域を有効的に使用することができる。」と訂正する。
２．訂正の目的の適否、新規事項の有無及び拡張・変更の存否　   
　上記訂正事項ａは、訂正前の特許請求の範囲の請求項１に記載された「振分装置」について、「前記振分装置は、前記特定入賞領域へ流入した遊技球を、前記可変表示装置での可変表示において前記特別表示態様が表示されたことに基づき、前記特別入賞口へ誘導して入賞させるとともに、該特別入賞口へ入賞する遊技球の誘導状態を、遊技中の遊技者が前方から視認可能な窓部を有する」と規定されていたものを、「前記振分装置は、前記特定入賞領域へ流入した遊技球を前記特別入賞口又は前記一般入賞□へ流下させ、前記可変表示装置での可変表示において前記特別表示態様が表示されたことに基づき、前記特別入賞口へ誘導して入賞させるとともに、該特別入賞口へ入賞する流下する遊技球の特別入賞口への誘導状態を、また、図柄の組み合わせがはずれのときは、流下する遊技球の−般入賞口への誘導状態を、遊技中の遊技者が前方から視認可能な窓部を有する」として、振分装置を明細書及び図面に記載されていた実施例に即してより下位概念に限定しようとするものである。したがって、特許請求の範囲の限定に相当する。
　上記訂正事項ｂは、訂正前の特許請求の範囲の請求項２に訂正前の特許請求の範囲の請求項３の構成である「前記可変表示装置と前記振分装置を一体的に構成した」ことを追加して可変表示装置をより下位概念に限定しようとするものである。また、「前記振分装置の凹室に配置して」を追加して、可変表示装置をさらに下位概念に限定しようとするものである。したがって、特許請求の範囲の限定に相当する。
　上記訂正事項ｃは、訂正前の特許請求の範囲の請求項３に「前記特定入賞領域に流入した遊技球が凹室の後部から落下し、流下する遊技球の誘導状態を、遊技中の遊技者が前記窓部から視認可能である」ことを追加して、振分装置をより下位概念に限定しようとするものである。したがって、特許請求の範囲の限定に相当する。
　上記訂正事項ｄは、前記特許請求の範囲の減縮に伴って、減縮された特許請求の範囲の記載と発明の詳細な説明の記載とを整合させるため、課題を解決するための手段の対応する部分を訂正する、明りょうでない記載の釈明を目的とする。
　上記訂正事項ｅは、前記特許請求の範囲の減縮に伴って、減縮された特許請求の範囲の記載と発明の詳細な説明の記載とを整合させるため、発明の効果の対応する部分を訂正する、明りょうでない記載の釈明を目的とする。
　そして、これらの訂正事項ａ〜ｅは、願書に最初に添付した明細書又は図面に記載された事項の範囲内のものであって、また、実質的に特許請求の範囲を拡張又は変更するものではない。 
３．むすび
　したがって、上記訂正は特許法第１２０条の４第３項で準用する同法第１２６条第１項及び第２項の規定に適合するので、当該訂正を認める。  
（３）特許異議申立てについての判断
 1．申立ての理由の概要   
　異議申立人河井清悦は、本件の請求項１ないし３に係る発明の特許に対して、証拠として下記の甲第１〜８号証を提出し、本件の請求項１ないし３に係る発明の特許は、甲第１号証より特許法第２９条の２の規定に違反してなされたものであるから、取り消すべき旨主張している。
    甲第１号証：特開平４−１５２９６０号公報
　　甲第２号証：特開昭６３−２８８１７６号公報
　　甲第３号証：特開昭６３−２６２１６９号公報
　　甲第４号証：特開昭５９−１９４７７２号公報
　　甲第５号証：特開平１−１３１６８７号公報
　　甲第６号証：特開昭６１−２４４３８２号公報
　　甲第７号証：特開昭６２−３２９８４号公報
　　甲第８号証：特開平１−２９９５７７号公報
　異議申立人林稔久は、本件の請求項１ないし３に係る発明の特許に対して、証拠として下記の甲第１号証を提出し、本件の請求項１ないし３に係る発明の特許は、同甲第１号証より、特許法第２９条の２の規定に違反してなされたものであるから、取り消すべき旨主張している。  
　　甲第１号証：特開平４−１４６７８２号公報
２．本件の請求項１ないし３に係る発明 
  上記（２）３で示したように上記訂正が認められるから、
　本件の請求項１に係る発明は、上記訂正に係る訂正明細書の特許請求の範囲の請求項１に記載された事項により特定されるとおりのものである。（上記（２）１訂正事項ａ参照）
　また、本件の請求項２に係る発明は、上記訂正に係る訂正明細書の特許請求の範囲の請求項２に記載された事項により特定されるとおりのものである。（上記（２）１訂正事項ｂ参照）   
　また、本件の請求項３に係る発明は、上記訂正に係る訂正明細書の特許請求の範囲の請求項３に記載された事項により特定されるとおりのものである。（上記（２）１訂正事項ｃ参照）
３．先願明細書記載の発明
　当審が通知した取消しの理由で引用した先願明細書（林稔久の提示した甲第１号証・特願平２−２７３６８９号(特開平４−１４６７８２号)）には、以下のような事項が記載されている。 
　
ア「特別装置内に形成された特別通過領域を打玉が通過したことによって複数の表示結果を表示することが可能な可変表示装置が予め定めた表示結果を表示した場合に権利発生状態とし、その権利発生状態中に打玉が始動口を通過したことに基づいて可変入賞球装置を遊技者にとって不利な第２の状態から遊技者にとって有利な第１の状態に変化させる弾球遊技機」（公報の第１頁左欄第５〜１２行及び同頁右欄第５〜１３行）、
イ「遊技領域３のほぼ中央部には、本実施例の要部を構成する特別装置３０が配置されている。」（公報の第２頁右下欄第９〜１１行）、
ウ「始動入賞口１２（その数は１個でなくてもよい）を遊戯盤１上の任意の位置に配置して」（公報の第４頁左上欄第５〜７行）、
エ「入賞球装置３２の下方には、ガイド壁３５が形成され、該ガイド壁３５の途中に前記入賞玉検出器３６が設けられている。．．．打玉が図柄停止検出器３８を作動させると、通常時可変表示している可変表示装置５３ａ、５３ｂの表示動作が停止し、表示結果を表示する。そして、その表示結果が予め定めた表示結果、例えば、可変表示装置５３ａ、５３ｂに表示される図柄が共に数字の「７」であるとき権利発生疑似状態となり、．．．特別通過領域３７の下方には、ほぼ円盤状の流路切換部材３９が配置されている。．．．また、流路切換部材３９には、前記転動路４１ａ、４１ｂの前面を覆うようにカバー板が斜め上方に延設され、該カバー板の上端に後方に向かって係止突片４２ａ、４２ｂが突設されている。この係止突片４２ａ、４２ｂは第２図に示すように、流路切換部材３９が揺動したときに前記特別通過領域３７の上部に侵入して特別通過領域３７に入ろうとする次位のの打玉Ｐ１を特別通過領域３７に入らないように停止させるものである。．．．可変表示装置５３ａ、５３ｂが予め定めた表示結果を表示したときには、切換モータ４３が図示右回転方向に駆動を開始し（以下、正転という）．．．停止状態が解除されて転動部４１ａに落ち込みそれに沿って流下する。」（第５頁右上欄第３行〜第６頁左上欄第２行）、
オ「転動部４１ａを転動した打玉は、特別装置３０の下部他側に形成された特定入賞口５０に誘導され、遊戯盤１の裏側に設けられる特定入賞玉検出器５１をＯＮさせた後．．．特定入賞玉検出器５１がＯＮすると、．．．権利発生状態を発生させる。」（第６頁右上欄第３〜１０行）
カ「可変表示装置５３ａ、５３ｂは、前記ガイド壁３５の外側に配置されるが」（第６頁左下欄第２〜４行）
キ「このように本実施例に係る特別装置３０は、権利発生遊技状態となったか否かの判断を．．．権利発生遊技状態となったか否かを確実に理解することができる。」（第６頁右下欄第７〜１４行）
ク「チューリップ始動通過口１６を遊技領域３の左側設けたものを示したが、遊技領域３の右側、あるいは上部に．．．設けてもよい。」（第１０頁左上欄第１５〜１８行）   
　異議申立人河井清悦の提出した先願明細書（甲第１号証・特願平２−２２０４５３号(特開平４−１５２９６０号)）には、以下のような事項が記載されている。 
ケ「特別な通過領域を有する特別装置と、打玉が通過可能な始動通過領域と、前記特別装置に受け入れられた打玉が前記特別通過領域を通過したことを検出する特別通過玉検出手段と、該特別通過玉検出手段の出力に基づいて権利発生遊技状態を発生させる権利発生手段と、該権利発生手段出力の導出中に前記始動通過領域に打玉が通過したことに基づいて遊技者にとって不利な第２の状態から遊技者にとって有利な第１の状態に一定期間変化させる可変入賞装置と、を備えた弾球遊技機において、発射された打玉が通過可能な通過領域と、該通過領域を通過した打玉を検出する通過玉検出手段と、該通過玉検出手段の出力に基づいて複数の表示結果を導出可能な可変表示装置と、該可変表示装置の表示結果が予め定めた表示結果となったときに前記特別装置に打玉を受け入れ易い状態と受け入れない若しくは受け入れ難い状態とに変化可能な入賞球装置と、を設けたことを特徴とする弾球遊技機。」（第１頁左欄第５行〜右欄第４行）
コ「発射された打玉が通過領域を通過して通過玉検出手段が作動して出力が導出されると、可変表示装置がある表示結果を導出する。そして、その導出結果が予め定めた表示結果となったときには、入賞球装置が打玉を受け入れ易い状態に変化する。この入賞球装置が打玉を受け入れ易い状態に変化すると、打玉が特別装置に誘導され易くなる。しかして、特別装置に誘導された打玉が特別通過領域．．．特別装置に打玉を誘導し易い状態と誘導しない若しくは誘導し難い状態とに変化する入賞球装置を設け、その入賞球装置が可変表示装置にある確率で表示される予め定めた表示結果に基づいて駆動されるので、可変表示装置に表示される予め定めた表示結果の表示確率によって権利発生遊技状態の発生確率が一義的に決定されることになり、これによって、特別装置への打玉の通過を許容する釘調整をそれほど慎重に行わなくてもよいし、遊技者の技量の差もそれほど遊技に反映されることがない。」（第２頁右下欄第１〜２０行）
サ「図において、遊技盤１の表面の誘導レール２に囲まれる遊技領域３のほぼ中央には、本実施例の要部を構成する特別装置３０が配置されている。この特別装置３０の下方には、権利発生遊技状態となったときで後述する始動通過領域としての始動入賞口１１に打玉が入賞したことに基づいて作動される可変入賞球装置４が設けられている。可変入賞球装置４は、前記遊技盤１に取り付けられる取付基板５に設けられており、その取付基板５に開設された長方形状の入賞領域６を開閉する開閉扉７（アタッカーと表現する場合もある）によって構成されている。開閉扉７は、遊技盤１の裏面に設けられるアタッカーソレノイド８によって開閉駆動される。具体的には、アタッカーソレノイド８が励磁されたときには、遊技者にとって有利なように開閉扉７が開成して打玉を受け入れ易い第１の状態となり、アタッカーソレノイド８が消磁されたときには、遊技者にとって不利なように開閉扉７が閉成して打玉が入賞しない第２の状態となる。」（第３頁左上欄７行〜右上欄第７行）
シ「始動入賞口１１は、入賞した打玉を検出する始動入賞玉検出器１２を内蔵している。この始動入賞玉検出器１２の出力は、権利発生遊技状態中であることを条件として開閉扉７のアタッカーソレノイド８を前記一定期間開成するための信号として処理されるものである。」（第３頁右下欄第１０〜１５行）
ス「また、入賞球装置３２に受け入れられた打球は、その下方に設けられる振分け部材３６に導かれる。振分け部材３６は、遊技盤１の裏面に配置されるモータ３７の回転駆動により、後方部を中心にしてその先端が左右往復動作可能に揺動されるものである。また、振分け部材３６は、受け止めた打球を後方から前方に向かって流下させるようになっている。また、振分け部材３６の下方には、３つに区画された通過領域が形成されている。具体的には、中央に特定入賞玉検出器３９を臨ませた特別通過領域３８が設けられ、左右両側に通常通過領域４０ａ，４０ｂが設けられている。そして、この３つの通過領域のいずれかに振分け部材３６の先端から落下する打玉が振分けられる。つまり、振分け部材３６の揺動位置と入賞球装置３２によって受け入れられた打玉の振分け部材３６の先端から落下するタイミングとによって、どの通過領域に導かれるかが決定される。振分け部材３６の先端から落下した打玉が特別通過領域３８に落下して特定入賞玉検出器３９を作動させると、権利発生遊技状態を発生させる。そして、この権利発生遊技状態中においては、前記したように、始動入賞口１１に打玉が入賞する毎に可変入賞装置４の開閉扉７が一定期間開成されるようになっている。」（第５頁右下欄第１行〜第６頁左上欄第６行）
セ「前記特別通過領域３８及び通常通過領域４０ａ，４０ｂの前面は、装飾板４１によって覆われるが、その装飾板４１には、可変表示装飾としての可変表示器４２ａ，４２ｂが臨ませてある。この可変表示器４２ａ，４２ｂは、７セグメントＬＥＤで構成され、「０」〜「９」の数字を図柄として表示可能となっている。しかして、発射された打玉が前記通過口１５を通過して始動通過玉検出器１６が作動されたとき（始動通過記憶がある場合も含む）には、可変表示器４２ａ，４２ｂが上記数字を遊技者に視認できない速度で可変表示し、一定時間が経過したときにその可変表示が停止される。そして、停止時の表示結果が予め定めた表示結果と一致したとき、具体的には、左右の可変表示器４２ａ，４２ｂで表示される数字が共に「７」であるときには、大当たりと判断されて前記入賞球装置３２を．．．開成するように制御され、左右の可変表示器４２ａ，４２ｂで表示される数字が異なるときには、外れと判断されて入賞球装置３２を開成しないように制御される。」（第６頁左上欄第１５行〜右上欄第１９行）
ソ「上記したように、本実施例においては、特別装置３０に打玉を誘導し易い状態と打玉を誘導し難い状態とに変化する入賞球装置３２を設け、その入賞球装置３２が可変表示装置としての可変表示器４２ａ，４２ｂにある確率で表示される予め定めた表示結果に基づいて駆動されるので、可変表示器４２ａ，４２ｂに表示される予め定めた表示結果の表示確率によって権利発生遊技状態の発生確率が一義的に決定されることになり、これによって、特別装置３０への打玉の通過を許容する釘調整をそれほど慎重に行わなくてもよいし、遊技者の技量の差もそれほど遊技に反映されることがない。また、本実施例においては、まず、打玉を通過口１５に通過させる第１段階、次いで可変表示器４２ａ，４２ｂで所望の表示結果を１３通過領域３８を通過させる第３段階、の３つの段階を追って権利発生遊技状態とする必要があるため、従来の上記第３段階しかないこの種のパチンコ遊技機に比較して、権利発生遊技状態に到達するまで連続して遊技者の注意を向けることができ、遊技の密度を高くしてその興趣を盛り上げることができる。」（第７頁左上欄第５行〜右上欄第７行）
タ「以上説明したところから明らかなように、本発明に係る弾球遊技機においては、特別装置に打玉を誘導し易い状態と誘導し難い状態とに変化する入賞球装置を設け、その入賞球装置が可変表示装置にある確率で表示される予め定めた表示結果に基づいて駆動されるので、可変表示装置に表示される予め定めた表示結果の表示確率によって権利発生遊技状態の発生確率が一義的に決定されることになり、これによって、特別装置への打玉の通過を許容する釘調整をそれほど慎重に行わなくてもよいし、遊技者の技量の差もそれほど遊技に反映されることがない。」（第１１頁右上欄第９行〜第２０行）
４．対比・判断
　本件の請求項１に係る発明について
　本件の請求項１に係る発明と当審が通知した取消しの理由で引用した先願明細書（林稔久の提示した甲第１号証・特願平２−２７３６８９号(特開平４−１４６７８２号)）に記載された発明とを対比すると、両者は、「遊技盤の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置を遊技者にとって有利な状態に変換するようにした弾球遊技機において、
　複数の識別情報を可変表示して、該可変表示が停止した際に予め定められた特別表示態様を表示可能な可変表示装置と、特定入賞領域へ流入した遊技球を検出して、前記可変表示装置の可変表示に関わる制御信号を発生可能な検出手段と、遊技球の入賞に基づき前記特別権利状態を発生可能な特別入賞口と該特別入賞口以外の一般入賞口とを有し、前記特定入賞領域へ流入した遊技球を、前記特別入賞口あるいは一般入賞口のうちの何れかに振り分けて入賞させることが可能な振分装置とを備え、振分装置は、前記可変表示装置での可変表示において前記特別表示態様が表示されたことに基づき、前記特別入賞口へ誘導して入賞させる」点で一致しているが、先願明細書に記載された発明は本件請求項１に係る発明の「流下する遊技球の入賞口への誘導状態を、遊技中の遊技者が前方から視認可能な窓部を有する」点を具備していない点で相違する。
　先願明細書の前記エの記載（特に「流路切換部材３９には、前記転動路４１ａ、４１ｂの前面を覆うようにカバー板が斜め上方に延設され、該カバー板の上端に後方に向かって係止突片４２ａ、４２ｂが突設されている。この係止突片４２ａ、４２ｂは第２図に示すように、流路切換部材３９が揺動したときに前記特別通過領域３７の上部に侵入して特別通過領域３７に入ろうとする次位のの打玉Ｐ１を特別通過領域３７に入らないように停止させるものである。」の記載を参照）を参酌すると、先願明細書に記載された発明では流路切換部材（本件請求項１に係る発明の振分装置に相当する）の動きにより、遊技球の誘導状態を判断しており、遊技球の誘導状態を、直接視認するものではない。
　また、上記流下する遊技球の誘導状態を、遊技中の遊技者が前方から視認可能な窓部を有する点は、異議申立人河井清悦の提出した甲第１号証にも記載されていない。
　なお、この点に関して、異議申立人河井清悦は特別入賞口へ入賞する遊技球の特別入賞口への誘導状態を、遊技中の遊技者が前方から視認可能な窓部を有する点は周知であると主張し、証拠として甲第５号証（特開平１−１３１６８７号公報）の第３図、甲第６号証（特開昭６１−２４４３８２号公報）の第１図、甲第７号証（特開昭６２−３２９８４号公報）の第２図〜７図を提示しているが、前記各刊行物に、遊技球の特別入賞口あるいは一般入賞口への誘導状態が遊技者に視認可能な窓部を有する点が記載されているとしても、これらのものの遊技では誘導状態に基づき特別入賞口あるいは一般入賞口へ入賞するようになっており、本件の請求項１に係る発明のように可変表示装置の停止結果態様に基づき特別入賞口あるいは一般入賞口へ入賞と決まっている遊技球の誘導状態を視認可能にし、可変表示装置の停止結果態様に加え遊技球の誘導状態を視認可能にすることにより、特別入賞口への入賞の判断をし易くするものではない。したがって、上記証拠をもって、可変表示装置に特別表示態様が表示されたことに基づき特別入賞口へ、図柄の組み合わせがはずれたことに基づき一般入賞口へ誘導される遊技球の誘導状態を、遊技中の遊技者が前方から視認可能な窓部を有する点が周知であるとはいえない。　
　そして、本件の請求項１に係る発明は、かかる点により、明細書記載の「特別入賞口へ入賞する遊技球の誘導状態を、遊技中の遊技者は前方から窓部を透して視認することができ、期待感や興趣が向上し、特別入賞口へ入賞したかどうかの確認もできる。流下する球が流路を流下している間、遊技者は遊技球が特別入賞口に入賞する期待感を持つことができ、遊技に対する興趣を持続させることがてきる」という作用効果を生じるものと認められる。
　したがって、本件の請求項１に係る発明は、異議申立人河井清悦、林稔久が提出したいずれかの先願明細書に記載された発明ではないので、特許法第２９条の２の規定に違反してなされたものではない。
　本件の請求項２に係る発明について
　請求項２に係る発明は請求項１に係る発明を引用して、更に限定するものであるから、上記請求項１に係る発明と同様な理由により、上記いずれかの先願明細書に記載された発明ではないので、特許法第２９条の２の規定に違反してなされたものではない。
　本件の請求項３に係る発明について
　請求項３に係る発明は請求項１または請求項２に係る発明を引用して、更に限定するものであるから、上記請求項１に係る発明と同様な理由により、上記いずれかの先願明細書に記載された発明ではないので、特許法第２９条の２の規定に違反してなされたものではない。
５．むすび
  以上のとおりであるから、特許異議申立人河井清悦、林稔久の理由及び証拠によっては、請求項１ないし３に係る発明の特許を取り消すことはできない。
　また、他に請求項１ないし３に係る発明の特許を取り消すべき理由を発見しない。
  よって、結論のとおり決定する。 
【異議決定日】
平成１２年１２月１８日（２０００．１２．１８）
【訂正の要旨】
１　訂正の内容
訂正事項ａ
　特許請求の範囲の請求項１の記載を、
「【請求項１】遊技盤の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置を遊技者にとって有利な状態に変換するようにした弾球遊技機において、
　複数の識別情報を可変表示して、該可変表示が停止した際に予め定められた特別表示態様を表示可能な可変表示装置と、特定入賞領域へ流入した遊技球を検出して、前記可変表示装置の可変表示に関わる制御信号を発生可能な検出手段と、遊技球の入賞に基づき前記特別権利状態を発生可能な特別入賞口と該特別入賞口以外の一般入賞口とを有し、前記特定入賞領域へ流入した遊技球を、前記特別入賞口あるいは一般入賞口のうちの何れかに振り分けて入賞させることが可能な振分装置と、
　を備え、
　前記振分装置は、
前記可変表示装置での可変表示において前記特別表示態様が表示されたことに基づき、前記特別入賞口へ誘導して入賞させるとともに、該特別入賞口へ入賞する流下する遊技球の特別入賞口ヘの誘導状態を、また、図柄の組み合わせがはずれのときは、流下する遊技球の一般入賞口への誘導状態を、遊技中の遊技者が前方から視認可能な窓部を有することを特徴とする弾球遊技機。」と訂正する。
訂正事項ｂ
　特許請求の範囲の請求項２の記載を、
「【請求項２】前記可変表示装置を前記遊技領域の略中央部に配置するとともに、該可変表示装置の前方から向かって右側の遊技領域に前記始動入賞口を配置し、
　前記可変表示装置を、前記振分装置の凹室に配置して、前記振分装置と一体的に構成したことを特徴とする請求項１に記載の弾球遊技機。」と訂正する。
訂正事項ｃ
　特許請求の範囲の請求項３の記載を、
「【請求項３】前記可変表示装置と前記振分装置を一体的に構成し、
　前記特定入賞領域に流入した遊技球が凹室の後部から落下し、流下する遊技球の誘導状態を、遊技中の遊技者が前記窓部から視認可能であることを特徴とする請求項１または２に記載の弾球遊技機。」と訂正する。
訂正事項ｄ
　特許明細書の段落【００１０】を、
「【課題を解決するための手段】この発明は、前記課題を解決するため、
　遊技盤（１）の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置（６）を遊技者にとって有利な状態に変換するようにした弾球遊技機（例えば、パチンコ機）において、
　複数の識別情報を可変表示して、該可変表示が停止した際に予め定められた特別表示態様を表示可能な可変表示装置（６５）と、
　特定入賞領域（例えば、特定入賞口５）へ流入した遊技球を検出して、前記可変表示装置の可変表示に関わる制御信号を発生可能な検出手段（例えば、特定スイッチ４４）と、
　遊技球の入賞に基づき前記特別権利状態を発生可能な特別入賞口（５１）と該特別入賞口以外の一般入賞口（例えば、開口部５７）とを有し、前記特定入賞領域へ流入した遊技球を、前記特別入賞口あるいは一般入賞口のうちの何れかに振り分けて入賞させることが可能な振分装置（例えば、特別入賞装置４）と、
　を備え、
　前記振分装置は、前記特定入賞領域へ流入した遊技球を前記特別入賞口又は前記一般入賞口へ流下させ、前記可変表示装置での可変表示において前記特別表示態様が表示されたことに基づき、前記特別入賞口へ誘導して入賞させるとともに、該特別入賞口へ入賞する流下する遊技球の特別入賞口ヘの誘導状態を、また、図柄の組み合わせがはずれのときは、流下する遊技球の一般入賞口ヘの誘導状態を、遊技中の遊技者が前方から視認可能な窓部（２６）を有する。
　また、前記可変表示装置を前記遊技領域の略中央部に配置するとともに、該可変表示装置の前方から向かって右側の遊技領域に前記始動入賞口を配置し、前記可変表示装置を、前記振分装置の凹室に配置して、前記振分装置と一体的に構成した。
　また、前記可変表示装置と前記振分装置を一体的に構成し、前記特定入賞領域に流入した遊技球が凹室の後部から落下し、流下する遊技球の誘導状態を、遊技中の遊技者が前記窓部から視認可能に構成した。」と訂正する。
訂正事項ｅ
　特許明細書の段落【０１４２】を
「【発明の効果】以上のように本発明は、遊技盤の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置を遊技者にとって有利な状態に変換するようにした弾球遊技機において、複数の識別情報を可変表示して、該可変表示が停止した際に予め定められた特別表示態様を表示可能な可変表示装置と、特定入賞領域へ流入した遊技球を検出して、前記可変表示装置の可変表示に関わる制御信号を発生可能な検出手段と、遊技球の入賞に基づき前記特別権利状態を発生可能な特別入賞口と該特別入賞口以外の一般入賞口とを有し、前記特定入賞領域へ流入した遊技球を、前記特別入賞口あるいは一般入賞口のうちの何れかに振り分けて入賞させることが可能な振分装置と、を備え、前記振分装置は、前記特定入賞領域へ流入した遊技球を前記特別入賞口又は前記一般入賞口へ流下させ、前記可変表示装置での可変表示において前記特別表示態様が表示されたことに基づき、前記特別入賞口へ誘導して入賞させるとともに、該特別入賞口へ入賞する流下する遊技球の特別入賞口ヘの誘導状態を、また、図柄の組み合わせがはずれのときは、流下する遊技球の一般入賞口ヘの誘導状態を、遊技中の遊技者が前方から視認可能な窓部を有することにより、特別権利状態の発生率が可変表示装置における特別表示態様の発生率により目的とする値に正確かつ容易に設定されるようになる。また、可変表示装置での可変表示による遊技と、振分装置による遊技球の振り分け遊技とにより、特別権利状態の発生までに、複数段階の遊技ステップを楽しめる。また、特別入賞口へ入賞する遊技球の誘導状態を、遊技中の遊技者は前方から窓部を透して視認することができ、期待感や興趣が向上し、特別入賞口へ入賞したかどうかの確認もできる。
　また、前記可変表示装置を前記遊技領域の略中央部に配置するとともに、該可変表示装置の前方から向かって右側の遊技領域に前記始動入賞口を配置し、前記可変表示装置を、前記振分装置の凹室に配置して、前記振分装置と一体的に構成することにより、特別権利状態の発生までは遊技領域の中央部を狙って遊技を行い、特別権利状態が発生した場合には遊技領域の右側を狙って遊技を行うような、変化に富んだ遊技内容となるとともに、ある程度の技術介入が必要な興趣の高い遊技となる。さらに、遊技者は視点を変えずに遊技が行えるとともに、遊技領域を有効的に使用することができる。」と訂正する。
（５４）【発明の名称】
弾球遊技機
（５７）【特許請求の範囲】
　【請求項１】　遊技盤の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置を遊技者にとって有利な状態に変換するようにした弾球遊技機において、
　複数の識別情報を可変表示して、該可変表示が停止した際に予め定められた特別表示態様を表示可能な可変表示装置と、
　特定入賞領域へ流入した遊技球を検出して、前記可変表示装置の可変表示に関わる制御信号を発生可能な検出手段と、
　遊技球の入賞に基づき前記特別権利状態を発生可能な特別入賞口と該特別入賞口以外の一般入賞口とを有し、前記特定入賞領域へ流入した遊技球を、前記特別入賞口あるいは一般入賞口のうちの何れかに振り分けて入賞させることが可能な振分装置と、
　を備え、
　前記振分装置は、
前記特定入賞領域へ流入した遊技球を
前記特別入賞口又は前記一般入賞口へ流下させ、
前記可変表示装置での可変表示において前記特別表示態様が表示されたことに基づき、前記特別入賞口へ誘導して入賞させるとともに、該特別入賞口へ入賞する
流下する
特別入賞口への
また、図柄の組み合わせがはずれのときは、流下する遊技球の一般入賞口への誘導状態を、
　【請求項２】　前記可変表示装置を前記遊技領域の略中央部に配置するとともに、該可変表示装置の前方から向かって右側の遊技領域に前記始動入賞口を配置
し、
　前記可変表示装置を、前記振分装置型の凹室に配置して、前記振分装置と一体的に構成した
　【請求項３】　前記可変表示装置と前記振分装置を一体的に構成
し、
　前記特定入賞領域に流入した遊技球が凹室の後部から落下し、流下する遊技球の誘導状態を、遊技中の遊技者が前記窓部から視認可能である
【発明の詳細な説明】
　【０００１】
　【産業上の利用分野】
　この発明は、変動入賞装置を有するパチンコ機等の弾球遊技機に関する。
　【０００２】
　従来、遊技領域内に特別入賞口と、始動入賞口と、変動入賞装置を設け、特別入賞口に打球が入賞すると、特別遊技の権利（特別権利状態）が発生し、この権利状態発生中に始動入賞口に打球が入賞すると、変動入賞装置を遊技者に利益な開状態に変換して、入賞率の大きい特別遊技を行わせるパチンコ機が知られている。
　【０００３】
　【発明が解決しようとする課題】
　しかしながら、この種のパチンコ機は、特別入賞口の打球の入賞率の調整が難しい。
　【０００４】
　即ち、特別入賞口の入賞率が低いと、特別遊技の権利がなかなか発生せず、特別遊技が期待できないため、興味の薄いものとなってしまう。
　【０００５】
　半面、特別入賞口に入賞しやすくすると、特別遊技の権利が発生した場合、特別遊技を十分に行わないうちに、再度特別入賞口に入賞することで、権利が消滅することもある。
　【０００６】
　このため、遊技の趣向に富んではいるものの、これを活かしにくいのである。
　【０００７】
　また、この種のパチンコ機は、特別入賞口を特別入賞装置の凹室内に設け、特別入賞装置の入口部の特定入賞口に入った打球が特別入賞口に入賞すると、前述の権利を発生するのであるが、特別入賞口のまわりにはずれ口等があって入賞が分かりにくい。
　【０００８】
　このため、特別入賞口に入賞したかどうか紛らわしく、遊技者に不満を与えかねないのである。
　【０００９】
　この発明は、このような問題点を解決することを目的としている。
　【００１０】
　【課題を解決するための手段】
　この発明は、前記課題を解決するため、
　遊技盤（１）の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置（６）を遊技者にとって有利な状態に変換するようにした弾球遊技機（例えば、パチンコ機）において、
　複数の識別情報を可変表示して、該可変表示が停止した際に予め定められた特別表示態様を表示可能な可変表示装置（６５）と、
　特定入賞領域（例えば、特定入賞口５）へ流入した遊技球を検出して、前記可変表示装置の可変表示に関わる制御信号を発生可能な検出手段（例えば、特定スイッチ４４）と、
　遊技球の入賞に基づき前記特別権利状態を発生可能な特別入賞口（５１）と該特別入賞口以外の一般入賞口（例えば、開口部５７）とを有し、前記特定入賞領域へ流入した遊技球を、前記特別入賞口あるいは一般入賞口のうちの何れかに振り分けて入賞させることが可能な振分装置（例えば、特別入賞装置４）と、
　を備え、
　前記振分装置は、前記特定入賞領域へ流入した遊技球を
前記特別入賞口又は前記一般入賞口へ流下させ、
流下する
特別入賞口への
また、図柄の組み合わせがはずれのときは、流下する遊技球の一般入賞口への誘導状態を、
　また、前記可変表示装置を前記遊技領域の略中央部に配置するとともに、該可変表示装置の前方から向かって右側の遊技領域に前記始動入賞口を配置
し、前記可変表示装置を、前記振分装置の凹室に配置して、前記振分装置と一体的に構成
　また、前記可変表示装置と前記振分装置を一体的に構成し
、前記特定入賞領域に流入した遊技球が凹室の後部から落下し、流下する遊技球の誘導状態を、遊技中の遊技者が前記窓部から視認可能に構成し
　【００１１】
　【作用】
　可変表示装置での可変表示において特別表示態様が表示されたことに基づき、特定入賞領域へ流入した遊技球を、振分装置により、特別入賞口へ誘導して入賞させる。特別入賞口へ遊技球が入賞すると特別権利状態が発生し、該特別権利状態の発生中に始動入賞口へ遊技球が入賞すると変動入賞装置が遊技者にとって有利な状態に変換される。そして、特別入賞口へ入賞する遊技球の誘導状態を、遊技中の遊技者は前方から窓部を透して視認することができる。
　【００１２】
　その結果、特別権利状態の発生率が可変表示装置における特別表示態様の発生率により目的とする値に正確かつ容易に設定されるようになる。
　【００１３】
　また、可変表示装置の停止結果態様と、更に、遊技者に視認可能な振分装置の構成により特別入賞口への入賞の判断がし易くなる。
　【００１４】
　【実施例】
　以下、本発明の実施例を図面に基づいて説明する。
　【００１５】
　図１、図２において、パチンコ機の遊技盤１の表面には、ガイドレール２で囲われた遊技部３のほぼ中央に特定入賞領域としての特定入賞口５を有する振分装置としての特別入賞装置４が、特別入賞装置４の下方に変動入賞装置６が配設される。
　【００１６】
　特別入賞装置４の左側の遊技部３には始動口７が配設され、右側の遊技部３には開閉翼９ａ，９ｂを有する始動口８ならびに始動口８の直上方にゲート型の開放口１０が配設される。始動口７，８には入賞球を検出する始動スイッチ１１，１２が、開放口１０には通過打球（入球）を検出する入球スイッチ１３が設置される。
　【００１７】
　１４は特別入賞装置４の上部に設けられる天入賞口（一般入賞口）、１５ａ，１５ｂ，１６ａ，１６ｂは遊技部３の左右下部および変動入賞装置６の左右に設けられる袖および下段入賞口（一般入賞口）、１７ａ〜１７ｄは風車等の転動誘導部材、１８はアウト口、１９ａ，１９ｂは装飾ランプである。
　【００１８】
　図示しないが遊技盤１の下方には、前面枠にパチンコ球の供給皿と受け皿と打球発射装置の操作部が配設され、供給皿から打球発射装置に入り発射された打球はガイドレール２に案内されて遊技部３内に入る。
　【００１９】
　特別入賞装置４は、図３〜図８のように遊技盤１の表面に取付けられる基板２４の上部中央に天入賞口１４の直下方にて特定入賞口５が開設され、基板２４の下半部に周囲を枠２５にて囲われる窓部２６が形成される。
　【００２０】
　特定入賞口５の左右には、基板２４の両側に鎧部２７ａ，２７ｂが、鎧部２７ａ，２７ｂの上端から特定入賞口５の球受部２８に続く案内面２９が形成され、特定入賞口５が臨むように鎧部２７ａ，２７ｂから案内面２９、球受部２８の下部にかけて前面側に飾り板３０が取付けられる。
　【００２１】
　特定入賞口５の直上部には、円周の一部を切欠いた流入阻止部材３１が基板２４に回動自由に設けられ、基板２４の裏面にて貫通軸３２が歯車３３〜３５を介してモータ３６に連結される。
　【００２２】
　特定入賞口５の球受部２８にきた球は、図４のように流入阻止部材３１の切欠部３７が特定入賞口５に重なった状態にあるときに特定入賞口５に流入し、図９のように切欠部３７が特定入賞口５からずれた状態にあるときは流入を阻止される。
　【００２３】
　常態ではモータ３６は駆動され、流入阻止部材３１は緩やかな速度で回転しながら定期的に球を通すが、所定の条件にあるときに流入阻止部材３１が所定期間、阻止状態を維持するようにモータ３６は停止される（後述する）。
　【００２４】
　窓部２６の枠２５には下部にカバー壁を兼ねる飾り板３８が取付けられ、基板２４の裏面には特定入賞口５に続く案内路３９および窓部２６の奥方に略半円筒状のケース４０に囲われる凹室４１が形成される。４２は天入賞口１４の流下樋である。
　【００２５】
　案内路３９はカバー４３に覆われ、凹室４１の奥方上部に開口され、開口部に入賞球を検出する検出手段としての特定スイッチ４４か設置される。開口部直下から左右対称に凹室４１の内壁に沿って前面側に下り傾斜する旋回路４５ａ，４５ｂが形成され、一方の旋回路４５ｂには球が行かないように隔壁４６が設けられる（図１１、図１２参照）。
　【００２６】
　凹室４１の底部には旋回路４５ａ，４５ｂの内側に周回路４７が形成され、周回路４７の内側に下部に歯車４８を取付けた回転体４９が配設される。
　【００２７】
　回転体４９は、表面に設けた横断溝５０内にて、回転体４９の中心に特別入賞口５１が形成され、下部の歯車４８を間にケース４０の下面に取付けられるベース５２上に回動自由に支承される。ベース５２には歯車４８の穴を通して回転体４９の特別入賞口５１に続く穴５３が設けられる。
　【００２８】
　回転体４９の歯車４８には、ケース４０の後面に設置したモータ５４の駆動歯車５５がかみ合い、モータ５４の駆動により回転体４９は所定の速度で回転するようになっている。ベース５２の下部には、穴５３に続く流路に特別入賞口５１の入賞を検出する特別スイッチ５６が設置される。
　【００２９】
　凹室４１の側面には、旋回路４５ａ側に一般入賞口としての開口部５７が設けられ、開口部５７に誘導部材を構成する開閉扉５８が配設される。
　【００３０】
　開閉扉５８が閉じている状態では、旋回路４５ａを流下する球はそのまま凹室４１の底部の周回路４７に案内され（図１０、図１２参照）、開閉扉５８が旋回路４５ａ側に開いている状態では、旋回路４５ａが遮断して旋回路４５ａの球は開口部５７を通り凹室４１外に排出される（図５、図１１参照）。
　【００３１】
　開閉扉５８は、ケース４０の裏面に回動自由に支持され、その開閉ピン５９に回動部材６０を介して駆動用のソレノイド６１に連結される。ソレノイド６１に通電すると、開閉扉５８は開口部５７を閉じ、ソレノイド６１の非通電時（常態）には、ソレノイド６１のリターンスプリングにより開閉扉５８は旋回路４５ａ側に開く。
　【００３２】
　開口部５７に続く凹室４１外の流路には排出球を検出する排出スイッチ６２が設置され、そのスイッチ６２下流は前記特別スイッチ５６下流の流下樋６３に合流される。
　【００３３】
　凹室４１の中央には、天井側から吊着された飾りケース６４にドッドマトリクス型のＬＥＤからなる特別装置図柄表示器（可変表示装置）６５が配置される。
　【００３４】
　特別装置図柄表示器６５は、左右それぞれに０〜９の数字（図柄）を表示可能なもので、常態では左右の数字を所定の速度で変換表示し、前記特定スイッチ４４がオンすると、スクロールしながら左右の変換表示を停止する。
　【００３５】
　特別装置図柄表示器６５の左右後方にて、前記ケース４０の外面に特別遊技の権利の発生を示す判定ランプ６６が配置される。また、前記窓部２６の飾り板３８の裏面には装飾ランプ６７が、凹室４１の後方にはケース４０に取付ける配線基板６８に装飾ランプ６９が配置される。
　【００３６】
　この特別入賞装置４は、打球が基板２４の鎧部２７ａまたは２７ｂの左右上方向から入り、鎧部２７ａまたは２７ｂに続く案内面２９から特定入賞口５の球受部２８に乗ると、流入阻止部材３１の切欠部３７が特定入賞口５に重なったときに特定入賞口５に入賞する。
　【００３７】
　特定入賞口５に入った入賞球は、基板２４裏面の案内路３９から特定スイッチ４４を通って凹室４１の後部に落ち、左側の旋回路４５ａを回りながら、このとき凹室４１の側面の開閉扉５８が開口部５７を閉じている場合は、凹室４１底部の周回路４７に入り、開閉扉５８が旋回路４５ａ側に開いている状態では、開口部５７から凹室４１外に排出する。
　【００３８】
　周回路４７に入った入賞球は、旋回路４５ａからの勢いで周回路４７を回動し、勢いが弱まってくると、所定の速度で回転する回転体４９の横断溝５０内に入って、回転体４９の特別入賞口５１に入賞し、特別スイッチ５６をオンする。
　【００３９】
　また、凹室４１外に排出した球は、排出スイッチ６２をオンする。
　【００４０】
　なお、図１のように遊技盤１に特別入賞装置４を取付けた状態にて、天入賞口１４の命釘９０に続いて基板２４の左右上端付近まで鎧状に釘群９１が植設されると共に、その末端の釘とで特定入賞口５側への流入確率を決める命釘９２が鎧部２７ａ，２７ｂの直上部に植設される。
　【００４１】
　遊技部３の右側に配設される開放口１０は、図２のように打球が通過するだけのもの（賞球はない）で、通過打球を検出する入球スイッチ１３は開放口１０に一体に設けられる。
　【００４２】
　同じく遊技部３の右側に配設される始動口８は、基板７０に配設した開閉翼９ａ，９ｂが打球を受け入れにくい閉状態から打球を受け入れやすい開状態に変換可能であり、基板７０の裏面側に駆動用のソレノイド（図示しない）が設けられる。
　【００４３】
　ソレノイドをオンすると、開閉翼９ａ，９ｂは閉状態から開状態に変換され、ソレノイドをオフすると、開閉翼９ａ，９ｂは開状態から閉状態に戻る。
　【００４４】
　始動口８の前飾り板７１には可変表示器７２が、可変表示器７２の左右の前飾り板７１の裏面には記憶表示ＬＥＤ（図示しない）が配置される。
　【００４５】
　可変表示器７２は、７セグメント型のＬＥＤからなり、前記開放口１０に通過打球があると、０〜９の数字（図柄）を順に変換表示すると共に、所定時間の経過後に変換を停止する。この停止時の表示が所定の数字のときに始動口８の開閉翼９ａ，９ｂがソレノイドを介して開駆動される（後述する）。記憶表示ＬＥＤは、開放口１０に通過打球が続いた場合に点灯し、後続球がない可変表示器７２の変換表示中は点滅する。
　【００４６】
　なお、始動口８の入賞球を検出する始動スイッチ１２は、基板７０の開口奥部に設置される。
　【００４７】
　始動口８の直上方に開放口１０が配設されるが、この場合開放口１０の通過打球がそのまま始動口８に入賞しないように、始動口８の命釘７３と開放口１０との間に開放口１０の通過打球の流下方向を規制する障害釘７４が植設される。始動口８の開閉翼９ａ，９ｂに閉時に完全に閉じるタイプのものを用いた場合は、障害釘７４は不要である。
　【００４８】
　一方、遊技部３の右側上部には、図２のように打球発射装置から発射された打球の流れを規制して開放口１０ならびに始動口８側に導く案内手段７５が設けられる。
　【００４９】
　案内手段７５は、ガイドレール２の途中に固定するクッション７６と、クッション７６に対峙する規制釘７７からなり、クッション７６には発射打球を受けた際の打球の跳ね返りが極めて小さい柔らかなゴムが用いられ、規制釘７７はクッション７６が受けた打球が遊技部３中央の特別入賞装置４側に行かないようにフェンス状に植設される。
　【００５０】
　即ち、遊技部３の右側を狙って球を発射するいわゆる右打ちを行うと、発射打球は案内手段７５のクッション７６に受け止められてほぼ真下に、ならびに跳ね返った打球は規制釘７７に阻まれてほぼ真下に落ち、開放口１０、始動口８側に向かうのである。したがって、右打ちを行った場合は、打球が遊技部３右側の開放口１０あるいは開閉翼９ａ，９ｂが開いているときの始動口８に入りやすくなる半面、中央の特別入賞装置４側に向かわなくなる。
　【００５１】
　なお、始動口７，８の特別入賞装置４側を通り抜けた打球は各案内釘を介して下部の変動入賞装置６に向かうようになっている。
　【００５２】
　変動入賞装置６は、図１３のように基板７８の中央上部に入賞口となる開口部７９が設けられ、開口部７９に打球を受け入れない閉状態（不利益な状態）と、打球を受け入れやすい開状態（利益な状態）とに変換可能な開閉扉８０が配設される。
　【００５３】
　開閉扉８０は、下部両端のピンを介して回動自由に支持され、基板７８の裏面側に設けた駆動用のソレノイド（図示しない）をオンすると、閉状態から開状態に変換され、ソレノイドをオフすると、開状態から閉状態に戻る。
　【００５４】
　開口部７９の奥方には開口部７９に入った入賞球を導く流下樋が形成され、流下樋の途中には入賞球を検出するカウントスイッチ８１が設置される。
　【００５５】
　開口部７９の下方には開口部７９の左右に形成した一般入賞口１６ａ，１６ｂの下部側から中央前部に位置して前飾り板８２が配設され、前飾り板８２の中央に計数表示器８３が配置される。
　【００５６】
　計数表示器８３は、７セグメント型のＬＥＤからなり、特別遊技の発生時に前記始動口７，８の入賞球数ならびに変動入賞装置６の開口部７９の入賞球数を表示する。この際、変動入賞装置６の開閉扉８０の開回数を表示するようにしても良い。
　【００５７】
　また、基板７８の裏面側には、図示しないが装飾ランプが配置される。
　【００５８】
　図１４は制御系のブロック構成を示すもので、制御装置１００はＣＰＵ１０１、ＲＯＭ１０２、ＲＡＭ１０３、バッファゲート１０４、出力ポート１０５等からなるマイクロコンピュータにて構成され、ＲＯＭ１０２に定めたプログラムデータおよび特別入賞装置４内の特定スイッチ４４、特別スイッチ５６、排出スイッチ６２、開放口１０の入球スイッチ１３、始動口７，８の始動スイッチ１１，１２、変動入賞装置（大入賞口）６内のカウントスイッチ８１等の検出信号に基づいて、特定入賞口５の流入阻止部材３１のモータ５４、特別装置図柄表示器６５、誘導部材のソレノイド６１、始動口８の可変表示器７２、記憶表示ＬＥＤ、その開閉翼９ａ，９ｂのソレノイド、変動入賞装置６の開閉扉８０のソレノイド、計数表示器８３、各ランプ等を制御する。
　【００５９】
　１０６は制御周期（２ｍ秒）を定める分周回路、１０７はサウンドジェネレータ、１０８はスピーカである。
　【００６０】
　次に、制御内容を図１５〜図２４のフローチャートに基づいて説明する。
　【００６１】
　図１５はメインフローを示すもので、初期設定後、各処理を実行する。
　【００６２】
　不正処理は、図１６のように変動入賞装置６内のカウントスイッチ８１のオンもしくはショートが所定時間（例えば２．９秒以上）続いたときに不正とし、またその開閉扉８０の開状態でカウントスイッチ８１が１度もオンしないときも不正とする（１．１０，１．１２、図２２参照）。
　【００６３】
　不正の場合、所定のランプに不正表示を行い、不正音等を出力すると共に（図２３、図２４参照）、図１７、図１８のように不正が解消されるまで不正処理以外の処理を中断する。
　【００６４】
　普通図柄・電役制御処理は、始動口８の開閉翼９ａ，９ｂを制御するもので、図１９のように開放口１０（ゲート）を打球が通過すると、その入球数を４つまで記憶し、記憶を基に始動口８の可変表示器７２の図柄（普通図柄）の変動（変換表示）を開始する（２．０１〜２．０３，２．１３〜２．１６）。
　【００６５】
　可変表示器７２の変動タイマがタイムアップすると、図柄の変動を停止し、その停止時の表示が例えば０以外のときは当たりとして、始動口８（普通電役）の開閉翼９ａ，９ｂを開く（２．０７〜２．１２）。
　【００６６】
　そして、開閉翼９ａ，９ｂの作動タイマがタイムアップすると、開閉翼９ａ，９ｂを閉じ、また入球数の記憶があれば、これらの処理を繰り返す（２．０４〜２．０６）。
　【００６７】
　可変表示器７２の変動タイマは、変動入賞装置６の開閉扉８０の開時間（例えば最大９．５秒）と同等に設定される。開閉翼９ａ，９ｂの作動タイマは、短時間（例えば０．６秒）に設定される。
　【００６８】
　なお、パチンコ機の前面枠に可変表示器７２のストップスイッチを設け、ストップスイッチを押すと可変表示器７２の図柄の変動を停止できるようにしても良い。
　【００６９】
　特定入賞制御処理は、特定入賞口５の流入阻止部材３１、特別入賞装置４の誘導部材を制御するもので、図２０のように特定入賞口５に入賞し特定スイッチ４４がオンすると、流入阻止部材３１の回転を停止すると共に、特別装置図柄表示器６５の左右の図柄（特定図柄）の変動を停止し、その左右の図柄の組み合わせが当たりかどうかを判定する（３．０７〜３．１０）。
　【００７０】
　そして、図柄の組み合わせがはずれのときは、誘導部材の開閉扉５８を開状態（排出状態）に維持したままにし、当たりのときは、開閉扉５８を閉じて旋回路４５ａを開通する非排出状態に駆動する（３．１１）。
　【００７１】
　はずれのときは、特定入賞口５から旋回路４５ａに入った入賞球が開口部５７から凹室４１外に排出されると共に、排出スイッチ６２のオン後、流入阻止部材３１の回転および特別装置図柄表示器６５の図柄の変動を開始する（３．０４〜３．０６）。
　【００７２】
　当たりのときは、旋回路４５ａに入った入賞球が周回路４７に導かれ、周回路４７から凹室４１底部の回転体４９の横断溝５０内に流入して、特別入賞口５１に入賞すると、特別スイッチ５６のオンと同時に誘導部材の開閉扉５８を開状態に戻し、流入阻止部材３１の回転および特別装置図柄表示器６５の図柄の変動を開始する（３．０２〜３．０６）。
　【００７３】
　なお、特別装置図柄表示器６５の停止時の図柄の組み合わせば、乱数を基に決定される。
　【００７４】
　特別装置作動制御処理は、特別遊技の権利の発生、消滅を制御するもので、図２１のように特定入賞口５の入賞球が特別入賞口５１に入賞し、特別スイッチ５６がオンした場合、権利発生中になければ特別遊技の権利を発生し、権利発生中にあれば特別遊技の権利を消滅する（４．０１〜４．０３，４．０５）。
　【００７５】
　特別遊技の権利が発生した場合、始動口７，８の入賞数を計数するカウンタをクリアする（４．０４）。
　【００７６】
　大入賞口作動制御処理は、特別遊技を実行するもので、図２２のように権利発生中に始動口７，８に入賞すると、変動入賞装置６の開閉扉８０を開くと共に、始動口７，８の入賞毎にその入賞数をカウントする（５．１０〜５．１６）。
　【００７７】
　次に、変動入賞装置６の開閉扉８０が開いてから、変動入賞装置６の入賞数をカウントスイッチ８１が１０個カウント、もしくは所定時間（例えば９．５秒）が経過すると、開閉扉８０を閉じ、１回の特別遊技を終了する（５．０１〜５．０７）。
　【００７８】
　このとき、カウントスイッチ８１の入賞カウントが“０”の場合、ノーカウント不正処理が開始される（５．０８，５．０９）。
　【００７９】
　変動入賞装置６の開閉扉８０が閉じた後、始動口７，８に入賞すると、再び開閉扉８０が開き、これらの処理を繰り返し行う。
　【００８０】
　そして、この後始動口７，８の入賞数が１６になると、特別遊技の権利が消滅する（５．１７，５．１８）。なお、特別遊技中に権利が消滅した場合、その特別遊技は行われる。
　【００８１】
　ランプ・ＬＥＤ表示処理は、図２３のように開放口１０の通過記憶がある場合、始動口８の記憶ＬＥＤを点灯し、始動口８の開閉翼９ａ，９ｂの開作動中は記憶ＬＥＤを点滅する（６．０３，６．１０，６．１１）。
　【００８２】
　特別遊技の権利発生中は、特別入賞装置４の各ランプ等を点滅すると共に、変動入賞装置６の計数表示器８３に始動口７，８の入賞カウント数を表示する（６．０７〜６．０９）。
　【００８３】
　変動入賞装置６の開閉扉８０の開作動中は、変動入賞装置６のランプ、装飾ランプ等を点滅すると共に、計数表示器８３に変動入賞装置６の入賞カウント数を表示する（６．０４〜６．０６）。
　【００８４】
　なお、特別遊技の権利発生時に特別装置図柄表示器６５の表示を明るく点滅し、はずれ時や権利消滅時にその表示を明るく点灯する。
　【００８５】
　音声出力処理は、図２４のように始動口８の可変表示器７２の変動中はスクロール音を出力し、その開閉翼９ａ，９ｂの開作動中はワンショット音を出力する（７．０７〜７．１０）。
　【００８６】
　特別遊技の権利発生時はファンファーレ音を出力し、権利発生中は権利表示音を出力する（７．１１，７．１２）。また、権利の消滅の場合は、消滅音を出力する。
　【００８７】
　変動入賞装置６の開閉扉８０の開時は開放音を出力し、開作動中はカウントスイッチのオン毎にワンショットのカウント音を出力する（７．０３〜７．０６）。
　【００８８】
　図２５、図２６に各制御を機能別のブロックに示す。
　【００８９】
　通常時は、特定入賞口の流入阻止部材が緩やかな速度で回転し、表示図柄更新制御手段が所定の周期で特定図柄表示制御手段を介し特別装置図柄表示器の表示を変換する。
　【００９０】
　特定入賞口の特定スイッチがオンすると、そのときの表示図柄更新制御手段の図柄を図柄記憶手段が記憶し、この図柄にて特定図柄表示制御手段が特別装置図柄表示器の表示を停止する。この際、流入阻止制御手段が駆動制御手段を介し流入阻止部材の回転を停止する。
　【００９１】
　同時に、図柄記憶手段が記憶した図柄から停止図柄判定手段が当たりかどうかを判定し、はずれのときは、誘導部材の開閉扉を開状態に維持し、当たりであれば、特別入賞装置の誘導部材駆動制御手段が誘導部材の開閉扉を閉状態に駆動する。
　【００９２】
　そして、はずれのときは、特定入賞口の入賞球が特別入賞装置外に排出され、排出スイッチがオンすると、特定図柄表示制御手段が特別装置図柄表示器の表示の変換を再開し、流入阻止制御手段が流入阻止部材の回転を復帰する。
　【００９３】
　これに対し、当たりのときは、入賞球が誘導部材により特別入賞口に導かれ、特別スイッチがオンすると、同じく特別装置図柄表示器の表示の変換を再開し、流入阻止部材の回転を復帰すると共に、特別装置作動制御手段が特別遊技の権利の発生、消滅を判定する。
　【００９４】
　この場合、権利発生中にないときは特別遊技の権利を発生し、権利発生中にあれば特別遊技の権利を消滅する。
　【００９５】
　特別遊技の権利が発生すると、始動口の始動スイッチのオンをもとに始動入賞制御手段が開指令を出し、変動入賞装置駆動制御手段がソレノイドを駆動して変動入賞装置を開き、所定時間もしくはカウントスイッチをもとに入賞数計数手段が所定数をカウントすると変動入賞装置を閉じる。
　【００９６】
　始動入賞制御手段は、変動入賞装置の閉時に始動スイッチがオンした場合に開指令を出す。始動スイッチのオン回数は、オン毎に始動入賞計数手段が短時間入賞数表示器（計数表示器）に表示し、変動入賞装置の入賞数は、入賞数計数手段が変動入賞装置の開時に入賞数表示器（計数表示器）に表示する。変動入賞装置の作動回数は、大入賞口作動回数計数手段が作動回数表示器（計数表示器）に表示する。
　【００９７】
　権利発生中に始動スイッチのオン回数が所定数になると、始動入賞計数手段が権利消滅を特別装置作動制御手段に指令する。同じく権利発生中に、特別スイッチがオンすると、特別装置作動制御手段が権利を消滅する。
　【００９８】
　一方、開放口の入球スイッチがオンすると、始動口開放制御手段が普通図柄表示制御手段を介して可変表示器の表示を変換すると共に、所定時間の経過後に可変表示器の表示を停止する。
　【００９９】
　可変表示器の停止時の図柄が所定の図柄であれば、普通図柄表示判定手段が当たりを判定し、普通電動役物駆動制御手段が始動口のソレノイドを駆動してその開閉翼を短時間開く。
　【０１００】
　入球スイッチのオンは始動口開放制御手段が一定数まで記憶し、その記憶がある毎に可変表示器を動作する。また、その記憶を記憶表示ＬＥＤが表示する。
　【０１０１】
　次に、遊技と共に各動作を説明する。
　【０１０２】
　通常時に、特定入賞口５の流入阻止部材３１は緩やかな速度で回転し、特別装置図柄表示器６５は左右に所定の速度でそれぞれ０〜９の数字を変換表示している。
　【０１０３】
　遊技に入り、遊技部３に発射された打球が特別入賞装置４の鎧部２７ａ，２７ｂの左右上方向から天入賞口１４の下部に入って、案内面２９から特定入賞口５の球受部２８に乗ると、流入阻止部材３１の切欠部３７が特定入賞口５に重なったときに特定入賞口５に入賞する。
　【０１０４】
　回転する流入阻止部材３１を設けたため、球受部２８に乗った打球は待機することが多く、また案内面２９側に続けて打球が入っても、特定入賞口５に連続して入賞することはない。
　【０１０５】
　特定入賞口５に入賞すると、入賞球は案内路３９から特定スイッチ４４を通って特別入賞装置４の凹室４１の後部に落ち、この際特定スイッチ４４のオンに伴い、流入阻止部材３１の回転ならびに特別装置図柄表示器６５の左右の変換表示が停止する。
　【０１０６】
　そして、この停止時の左右の表示の組み合わせがはずれのときは、凹室４１の旋回路４５ａに入った入賞球は、旋回路４５ａ側に開いている誘導部材の開閉扉５８を介し開口部５７から凹室４１外に排出される。
　【０１０７】
　この一方、停止時の左右の表示の組み合わせが当たりであれば、誘導部材の開閉扉５８が開口部５７を閉じて旋回路４５ａが開通し、このため旋回路４５ａに入った入賞球は、そのまま旋回路４５ａを回りながら凹室４１底部の周回路４７に入る。
　【０１０８】
　周回路４７に入ると入賞球は、旋回路４５ａからの勢いで回転している回転体４９の回りを回動ずると共に、勢いが弱まってくると回転体４９の横断溝５０内に入って、特別入賞口５１に入賞し、このとき権利発生中になければ特別遊技の権利が発生する。
　【０１０９】
　ここで旋回路４５ａの入賞球が、凹室４１外に排出もしくは特別入賞口５１に入賞すると、流入阻止部材３１の回転ならびに特別装置図柄表示器６５の左右の変換表示が再開される。
　【０１１０】
　このように、特定入賞口５の入賞を基に変換表示を停止する特別装置図柄表示器６５を設け、その停止時の表示の組み合わせが当たりのときに、特別入賞口５１に入賞するようにしたので、特別装置図柄表示器６５の当たりの発生確率によって、特別入賞口５１の入賞率を容易に設定することができる。
　【０１１１】
　このため、特定入賞口５の鎧部２７ａ，２７ｂ回りの命釘９２等の調整が容易になると共に、特別装置図柄表示器６５の当たりの発生確率を変える乱数等を選定することで、特別入賞口５１の入賞率を自由にかつ遊技の興趣を高める適正値に設定することができる。特に、特別装置図柄表示器６５を用いたことで、特定入賞口５へ入賞しやすくすることができ、これにより遊技の趣向を十分に活かすことができる。
　【０１１２】
　また、特別装置図柄表示器６５の表示の組み合わせがはずれの場合は、特定入賞口５の入賞球が誘導部材により凹室４１外に排出され、当たりの場合は、特定入賞口５の入賞球が誘導部材により特別入賞口５１に導かれる。
　【０１１３】
　このため、入賞球が特別入賞口５１に入賞したかどうかを的確に判別することができ、遊技者に疑問や不快感を持たせることを回避できる。
　【０１１４】
　他方、特定スイッチ４４がオンすると、その入賞球が凹室４１外に排出もしくは特別入賞口５１に入賞するまで流入阻止部材３１の回転を停止するため、特定入賞口５の案内路３９から凹室４１内にかけて複数の球が入ることはない。
　【０１１５】
　このため、特定入賞口５の球受部２８に複数の球があっても、特別装置図柄表示器６５の停止中に特定スイッチ４４がオンすることで表示停止のチャンスを逸することはなく、入賞球毎にその停止時の表示の組み合わせが当たりになるかどうかを楽しむことができ、権利発生の期待感は高まる。
　【０１１６】
　そして、特別遊技の権利が発生すると、遊技部３の右側を狙って球を打つ右打ちを行うことになる。これにより、遊技部３の右側に発射された打球は、案内手段７５のクッション７６、規制釘７７に阻まれてほぼ真下の開放口１０、始動口８側に向かい、多くの打球が開放口１０を通過する。
　【０１１７】
　打球が開放口１０を通過すると、その入球スイッチ１３のオンの記憶（４つまで）に基づき始動口８の可変表示器７２の表示の変換が行われ、９．５秒経過すると変換が停止される。この停止時の可変表示器７２の表示が１〜９にあれば、始動口８の開閉翼９ａ，９ｂが短時間（０．６秒）開かれる。
　【０１１８】
　短時間でも始動口８の開閉翼９ａ，９ｂが開かれると、右打ちを行っている場合、案内手段７５から打球が連続的に開放口１０、始動口８側に向かうため、打球は難無く始動口８に入賞する。なお、開閉翼９ａ，９ｂの０．６秒の開にてほぼ１個の打球が入賞するようになる。
　【０１１９】
　そして、始動口８（または７）に入賞すると、特別遊技に入り、変動入賞装置６の開閉扉８０が開かれる。
　【０１２０】
　変動入賞装置６の開閉扉８０が開かれると、開口部７９に打球が次々と入賞し、多数の賞球が獲得されると共に、この際開口部７９の入賞数が１０個になるとまたは９．５秒経過すると、開閉扉８０が閉じられ、１回の特別遊技が終了する。
　【０１２１】
　この特別遊技が終了すると、また入球スイッチ１３のオン記憶に基づき可変表示器７２の表示変換が行われるが、この場合前回の可変表示器７２の表示変換中等に、入球スイッチ１３の未処理のオン記憶があれば、その可変表示器７２の表示変換停止後（始動口８の開閉翼９ａ，９ｂの閉後）、特別遊技に並行して可変表示器７２の表示変換が行われ、９．５秒経過すると変換が停止され、その停止時の表示が１〜９にあれば、再び始動口８の開閉翼９ａ，９ｂが短時間開かれる。
　【０１２２】
　即ち、特別遊技の前に開放口１０の通過球が複数あれば、入球スイッチ１３の未処理のオン記憶に基づき、特別遊技に入るとほぼ同時に可変表示器７２の表示変換が開始され、９．５秒（最大時間）の特別遊技が終了するとほぼ同時にその表示変換が停止され、これにより、停止時の表示が０（確率は小さい）のときを除いて、特別遊技が終了するのに伴い、始動口８の開閉翼９ａ，９ｂが短時間開かれる。この際、前回と同じく始動口８に容易に打球が１個入賞する。
　【０１２３】
　そして、始動口８（または７）に入賞すると、次の特別遊技に入り、再び変動入賞装置６の開閉扉８０が開かれる。
　【０１２４】
　この開閉扉８０の開後、開口部７９の入賞数が１０個になるとまたは９．５秒経過すると、開閉扉８０が閉じられ、この回の特別遊技が終了する。
　【０１２５】
　この特別遊技が終了すると、また入球スイッチ１３のオン記憶に基づき可変表示器７２の表示変換が行われるが、この場合前回と同じく特別遊技の前に入球スイッチ１３の未処理のオン記憶があれば、この回の特別遊技に入るときに可変表示器７２の表示変換が開始され、この回の特別遊技が終了するのに伴い、表示変換が停止され、その停止時の表示が０のときを除き、始動口８の開閉翼９ａ，９ｂが短時間開かれる。そしてこの際、始動口８に容易に打球が１個入賞する。
　【０１２６】
　このように、特別遊技の権利発生中に、開放口１０の通過球の記憶に基づき可変表示器７２の表示変換が行われ、この停止時の表示が所定の図柄にあれば、始動口８の開閉翼９ａ，９ｂが開かれるので、始動口８に打球を容易に入賞可能である。
　【０１２７】
　このため、特別遊技の権利が発生した際に、始動口になかなか入賞せずに特別遊技に入るまでに持玉を無くすといったことはなく、速やかに特別遊技に入ることができる。
　【０１２８】
　他方、可変表示器７２の表示変換時間を特別遊技時間（最大９．５秒）に合わせ、特別遊技中になくその変換停止後、始動口８の開閉翼９ａ，９ｂが開いたときに、その短時間の開にて始動口８にほぼ１個の打球を入賞可能なため、始動口８の入賞が一方的に増えることなく、その入賞毎に繰り返し特別遊技を行うことができる。
　【０１２９】
　このため、特別遊技の権利発生中に特別遊技を幾回も行っていないのに、始動口７，８の入賞数が一定数（１６個）に達して、せっかくの権利が消滅してしまうといったことはなく、規定回数の特別遊技を確実に行うことができる。
　【０１３０】
　また、開放口１０の通過球の記憶に基づき、記憶がある毎に可変表示器７２の表示変換が特別遊技時間に合った所定周期で繰り返し行われ、かつその変換が停止する毎に高い確率にて始動口８の開閉翼９ａ，９ｂが開かれるので、特別遊技が終了する毎にほぼ定期的に始動口８に打球を入賞させることができる。
　【０１３１】
　このため、特別遊技の終了に合わせてタイミング良く次の特別遊技に入ることができ、スピード感に溢れる遊技が可能である。
　【０１３２】
　また、右打ちを行っている場合、発射された打球は案内手段７５を介して開放口１０、始動口８側に向かい、多くの打球が開放口１０を通過すると共に、効率良く始動口８に入賞するようになる。また、この場合には、打球が遊技部３中央にある特別入賞装置４の特定入賞口５側に入賞することはなく、もちろん遊技部３の左側に打球が流れて始動口７に入賞することもない。
　【０１３３】
　このため、右打ちを行えば、より速やかに規定回数の特別遊技を行えるようになり、これにより十分な賞球を獲得できると共に、権利中に打球が特別入賞装置４の特定入賞口５に入賞することで、せっかく発生した権利が消滅するといった不安を解消でき、十分に特別遊技を楽しむことができる。
　【０１３４】
　なお、可変表示器７２の停止時の表示が０で始動口８の開閉翼９ａ，９ｂが開かないときや開閉翼９ａ，９ｂが開いても打球が始動口８に入賞しないときは、特別遊技に入れないが、この場合可変表示器７２のストップスイッチを設け、遊技者がストップスイッチを押すことでその変換を停止できるようにすれば、次の可変表示器７２の表示変換を短縮でき、その分待たずにすむ。また、１回の特別遊技中に変動入賞装置６に１０個の打球が入賞すると、時間（９．５秒）内に特別遊技が終了するため、相対的に可変表示器７２の変換停止が遅れることになるが、この際ストップスイッチを押すことで可変表示器７２の変換停止を早めることがでる。
　【０１３５】
　そして、この後始動口７，８の入賞数が一定数に達すると、特別遊技の権利が終了する。なお、特別遊技の権利は、始動口７，８の入賞数が一定数に達した時点で消滅するが、その最後の特別遊技は行われる。
　【０１３６】
　このように、特別遊技の権利が発生した場合に特別遊技が行われるのであり、入賞が特別遊技の条件である始動口８に開閉翼９ａ，９ｂを設け、この開閉翼９ａ，９ｂを開放口１０の打球の通過に基づき表示変換を行う可変表示器７２を介して、一定時間毎に開くようにしたので、始動口８の命釘等の具合によって、権利発生時に始動口８に打球がなかなか入賞しなかったり、あるいは打球が立て続けに入賞するといった不都合を解消でき、微妙な釘調整等が不要になる。
　【０１３７】
　また、可変表示器７２の表示変換時間を特別遊技時間に合わせると共に、その変換の停止毎に高い確率で短時間始動口８の開閉翼９ａ，９ｂを開くようにしたので、特別遊技の終了毎に始動口８にほぼ１個の打球を入賞することができる。
　【０１３８】
　このため、権利が発生した場合に、タイミング良く速やかに規定回数の特別遊技を行え、したがって遊技者は特別遊技の間隔が開くことで不快や不安を感じることなく、特別遊技を十分に満喫できる。
　【０１３９】
　なお、実施例では可変表示器７２の表示が所定の図柄のときに始動口８の開閉翼９ａ，９ｂが１回（０．６秒）開くが、この場合その開時間を長くして打球が１個入賞すると開閉翼９ａ，９ｂが閉じるようにしても良い。
　【０１４０】
　一方、特別遊技の権利中にない場合でも、始動口８の開閉翼９ａ，９ｂが開くと打球が始動口８に入賞するようになるが、権利の発生を狙って特定入賞口５に入賞させるように遊技部３の中央に打球を打っている場合には、遊技部３の右側に配置した始動口８ならびに開放口１０に打球が向かいにくい。このため、通常時は始動口８が開きにくいため、その入賞によって賞球が増えることはない。
　【０１４１】
　また、通常時には可変表示器７２の表示が当たりとなって始動口８の開閉翼９ａ，９ｂが開く確率を小さくしても良い。
　【０１４２】
　【発明の効果】
　以上のように本発明は、遊技盤の遊技領域に対して遊技球を弾発して遊技を行い、該遊技において所定の遊技条件が成立したことに基づき特別権利状態を発生するとともに、該特別権利状態の発生中に遊技球が始動入賞口へ入賞したことに基づき変動入賞装置を遊技者にとって有利な状態に変換するようにした弾球遊技機において、複数の識別情報を可変表示して、該可変表示が停止した際に予め定められた特別表示態様を表示可能な可変表示装置と、特定入賞領域へ流入した遊技球を検出して、前記可変表示装置の可変表示に関わる制御信号を発生可能な検出手段と、遊技球の入賞に基づき前記特別権利状態を発生可能な特別入賞口と該特別入賞口以外の一般入賞口とを有し、前記特定入賞領域へ流入した遊技球を、前記特別入賞口あるいは一般入賞口のうちの何れかに振り分けて入賞させることが可能な振分装置と、を備え、前記振分装置は、前記特定入賞領域へ流入した遊技球を
前記特別入賞口又は前記一般入賞口へ流下させ、
流下する
特別入賞口への
また、図柄の組み合わせがはずれのときは、流下する遊技球の一般入賞口への誘導状態を、
　また、前記可変表示装置を前記遊技領域の略中央部に配置するとともに、該可変表示装置の前方から向かって右側の遊技領域に前記始動入賞口を配置
し、前記可変表示装置を、前記振分装置の凹室に配置して、前記振分装置と一体的に構成
さらに
【図面の簡単な説明】
　【図１】
　遊技盤の正面図である。
　【図２】
　開放口部分の構成図である。
　【図３】
　特別入賞装置の正面図である。
　【図４】
　特別入賞装置の斜視図である。
　【図５】
　特別入賞装置の後方からの斜視図である。
　【図６】
　特別入賞装置のケース部分の斜視図である。
　【図７】
　誘導部材の駆動部材の斜視図である。
　【図８】
　特別入賞装置の分解斜視図である。
　【図９】
　流入阻止部材の作動状態を示す説明図である。
　【図１０】
　誘導部材の作動状態を示す説明図である。
　【図１１】
　特別入賞装置の入賞球の流れを示す説明図である。
　【図１２】
　特別入賞装置の入賞球の流れを示す説明図である。
　【図１３】
　変動入賞装置の斜視図である。
　【図１４】
　制御系のブロック構成図である。
　【図１５】
　制御内容を示すフローチャートである。
　【図１６】
　制御内容を示すフローチャートである。
　【図１７】
　制御内容を示すフローチャートである。
　【図１８】
　制御内容を示すフローチャートである。
　【図１９】
　制御内容を示すフローチャートである。
　【図２０】
　制御内容を示すフローチャートである。
　【図２１】
　制御内容を示すフローチャートである。
　【図２２】
　制御内容を示すフローチャートである。
　【図２３】
　制御内容を示すフローチャートである。
　【図２４】
　制御内容を示すフローチャートである。
　【図２５】
　制御機能別の入力側のブロック図である。
　【図２６】
　制御機能別の出力側のブロック図である。
　【符号の説明】
１　遊技盤
３　遊技部
４　特別入賞装置
５　特定入賞口
６　変動入賞装置
７　始動口
８　始動口
９ａ，９ｂ　開閉翼
１０　開放口
１１　始動スイッチ
１２　始動スイッチ
１３　入球スイッチ
１９ａ，１９ｂ　装飾ランプ
２４　基板
２８　球受部
３１　流入阻止部材
３６　モータ
３７　切欠部
４１　凹室
４４　特定スイッチ
４５ａ，４５ｂ　旋回路
４９　回転体
５１　特別入賞口
５４　モータ
５６　特別スイッチ
５７　開口部
５８　開閉扉
６１　ソレノイド
６２　排出スイッチ
６５　特別装置図柄表示器
６６　判定ランプ
６７　装飾ランプ
６９　装飾ランプ
７２　可変表示器
７５　案内手段
７６　クッション
７７　規制釘
７９　開口部
８０　開閉扉
８１　カウントスイッチ
８３　計数表示器
１００　制御装置